(57)【要約】【課題】  複数年にわたる実行計画等に役立つカレンダーを提供する。【解決手段】  カレンダー１には、用紙の片面に、特定年の年間カレンダーと前記特定年の翌年の年間カレンダー又は前記翌年以降の連続した複数年の年間カレンダーとをプリントされている。各年間カレンダーは、日付を７日単位で配列した月間カレンダーを横一列に順に並べて表示したものである。そのように表示した各年間カレンダーが縦の一方向に、用紙の上側から下側へと経時的な順に並んでいる。【選択図】  図１
2004299374.tif 000002
【特許請求の範囲】
【請求項１】
特定年の年間カレンダーと前記特定年の翌年の年間カレンダー又は前記翌年以降の連続した複数年の年間カレンダーとを１枚の板状部材の片面にプリントしたカレンダーであって、前記各年間カレンダーは、日付を７日単位で配列した月間カレンダーを横一列に順に並べて表示したものであり、かつ、そのように表示した各年間カレンダーが縦の一方向に経時的な順に並んでいることを特徴とするカレンダー。
【請求項２】
前記板状部材が用紙であり、前記各年間カレンダーが前記用紙の上側から下側へと経時的な順に並んでいることを特徴とする請求項１に記載のカレンダー。
【請求項３】
前記板状部材が用紙であり、前記各年間カレンダーが前記用紙の下側から上側へと経時的な順に並んでいることを特徴とする請求項１に記載のカレンダー。
【請求項４】
前記各年間カレンダーが、隣り合う他の年間カレンダーに対して互いに前記用紙の横方向にずれて配置されていることを特徴とする請求項２又は３に記載のカレンダー。
【請求項５】
上記用紙の片面における任意の場所にカレンダー非プリント領域を設け、該領域に所定の文字、絵、図もしくは写真等をプリントし、または前記領域をコメント記入欄もしくはシール貼付欄としたことを特徴とする請求項２ないし４のいずれか１項に記載のカレンダー。
【発明の詳細な説明】
【技術分野】
【０００１】
本発明は、ある特定の年から始まる複数年を１枚の板状部材たとえば厚紙の片面に表示したカレンダーに関するものである。
【背景技術】
【０００２】
従来の個人の時間管理には、月ごと又は日ごとに区切られている１年間のカレンダーやシステム手帳を用いるのが主流である（特許文献１参照）。
【特許文献１】特開２００２−２４０４６１
【発明の開示】
【発明が解決しようとする課題】
【０００３】
そのような時間管理ツールは通常１年間までの表示しかなく、目先の予定を立てることができるものの、翌年以降長期の時間を見ることができなかった。また、表示されている１年間が過ぎてしまうと、消耗品として処分され、過日の出来事も記録に残すことは出来ないという問題点があった。
本発明は、かかる状況に鑑みてなされたものであり、複数年にわたる実行計画等に役立つカレンダーを提供することを目的とする。
【課題を解決するための手段】
【０００４】
本発明は、特定年の年間カレンダーと前記特定年の翌年の年間カレンダー又は前記翌年以降の連続した複数年の年間カレンダーとを１枚の板状部材の片面にプリントしたカレンダーであって、前記各年間カレンダーは、日付を７日単位で配列した月間カレンダーを横一列に順に並べて表示したものであり、かつ、そのように表示した各年間カレンダーが縦の一方向に経時的な順に並んでいることを特徴とするカレンダーである。
前記板状部材が用紙であり、前記各年間カレンダーは前記用紙の上側から下側へと経時的な順に並んでいる。あるいは、前記各年間カレンダーは前記用紙の下側から上側へと経時的な順に並んでいる。また、前記各年間カレンダーが、隣り合う他の年間カレンダーに対して互いに前記用紙の横方向にずれて配置されていてもよい。
好ましくは、上記用紙の片面における任意の場所にカレンダー非プリント領域を設け、該領域に所定の文字、絵、図もしくは写真等をプリントし、または前記領域をコメント記入欄もしくはシール貼付欄とする。
【発明の効果】
【０００５】
本発明によれば、複数年を１枚に表示することで時間を長いスパンでとらえることができるので、例えば自分の中長期的な人生設計や目標を視覚的に捉えることができ、かつ視覚的に理解することが可能になる。このため、自分の理想実現に向けて日々行動していくことができる。さらには、過去の出来事を見つめ直すことにも役立ち、行動の見直しや修正にも利用できる。
【発明を実施するための最良の形態】
【０００６】
次に、本発明に係るカレンダーの実施の形態について図面に基づいて説明する。図１に示すように、一実施形態に係るカレンダー１は用紙の片面にプリントされていて、連続した複数年の年間カレンダーを備えている。各年間カレンダーは、日付を７日単位で配列した１月から１２月までの月間カレンダーを横一列に用紙の左から右へ順に並べて表示したものである。各年間カレンダーは、用紙の上側から下側へ縦方向に経時的な順に並んでいる。複数年としては、２年以上であれば特に限定されず、５年や１０年、または１２支にちなんで１２年としてもよい。
また、図２に示すカレンダー２のように、用紙の下側から上側へ縦方向に経時的な順に並べてもよい。
【０００７】
また、図３に示すカレンダー３のように、各年間カレンダーを、上下に隣り合う他の年間カレンダーに対して互いに用紙の横方向にずれて配置してもよい。直線的な斜め方向にずれていく配置のほか、年間カレンダーの両端部が緩やかな曲線上に位置するような配置でもよく、また、上下に隣り合う他の年間カレンダーに対して左右方向に互い違いになる配置でもよい。
【０００８】
本発明は、さらに図４に示すカレンダー４のように、たとえば紙面中央で縦方向に延びるカレンダー非プリント領域を設け、該領域に各年の十二支をそれぞれプリントしてもよい。この領域は任意の場所に設けることができる。また、この領域に、十二支の代わりに絵、図もしくは写真などをプリントしてもよい。さらには、この領域をコメント記入欄もしくはシール貼付欄としてもよい。
【実施例１】
【０００９】
次に、本発明の実施例について図５〜図９を用いて説明する。図５は、１０年間を表示したカレンダーであり、図６では１２年間、図７では２０年間、図８では２４年間、図９では５０年間をそれぞれ１用紙上に表示したカレンダーである。
【００１０】
これらの実施例では、複数年をＢ１版またはＡ１版に１用紙に表示している。表示形式は、横に１２ヶ月、縦に複数年である。７曜日配列は同じだが、色は同一色にする。複数年表内の一部には、コメント記入欄を設けている。題字については有無の両形態を有し、また、干支、イラスト、写真についても有無の両形態を有する。
【００１１】
なお、補助資料を用いることで中長期的な行動計画を細分化することができる。また、すべて同一色でプリントすると、世の中の常識的な年月日、曜日感覚または休日に左右されることなく、個人独自の設定が可能になる。
【図面の簡単な説明】
【００１２】
【図１】本発明の一実施形態のカレンダーの正面図である。
【図２】本発明の別の実施形態のカレンダーの正面図である。
【図３】本発明の別の実施形態のカレンダーの正面図である。
【図４】本発明の別の実施形態のカレンダーの正面図である。
【図５】１０年間を１用紙上に表示した一実施例のカレンダーの正面図である。
【図６】１２年間を１用紙上に表示した別の実施例のカレンダーの正面図である。
【図７】２０年間を１用紙上に表示した別の実施例のカレンダーの正面図である。
【図８】２４年間を１用紙上に表示した別の実施例のカレンダーの正面図である。
【図９】５０年間を１用紙上に表示した別の実施例のカレンダーの正面図である。
【符号の説明】
【００１３】
１、２、３、４  カレンダー
【図１】
2004299374.tif 000003
【図２】
2004299374.tif 000004
【図３】
2004299374.tif 000005
【図４】
2004299374.tif 000006
【図５】
2004299374.tif 000007
【図６】
2004299374.tif 000008
【図７】
2004299374.tif 000009
【図８】
2004299374.tif 000010
【図９】
2004299374.tif 000011